(57)【要約】      （修正有）【課題】少量を安価に生産するのに適している板金加工により製作でき、スムーズに移動する位置調整装置を提供する。【解決手段】直動位置調整装置の予圧機構３は、スペーサ３ｄを板金ベース１に固定する固定ネジ３ａと、摺動ワッシャ３ｃを介して一定の圧力（予圧）を板金テーブル２に与える予圧バネ３ｂとからなる構造を有する。３個の予圧バネ３ｂの予圧により樹脂シート５の摺動面５ａに板金テーブル２の下面が圧接されて、板金テーブル２は板金ベース１に保持されている。位置調整のため、板金テーブル２に調整方向（直線方向）の力を加えると２個のガイド穴２ａとそれぞれに挿入されているガイドピン４により決まる方向に板金テーブル２は移動し位置調整が行われる。【選択図】図１
0003142603.tif 000002
【実用新案登録請求の範囲】
【請求項１】
板金ベースとこの上面に面接合状態で配設され上方に位置調整を必要とする物体が載置される板金テーブルとの組み合わせであって、板金テーブルが板金ベースに対して直動可能であり、板金テーブル上の物体の位置を調整可能な構造の直動位置調整装置において、板金ベースと板金テーブルの間に配設された樹脂製のシートと、前記板金テーブルと前記板金ベースにより前記シートを圧接する圧接手段を備えたことを特徴とする直動位置調整装置。
【請求項２】
前記シートは長方形シート２枚の並行配置で装着され、前記シート２枚をともに含む最小長方形の内方位に前記圧接手段により生起する予圧と板金テーブル上の物体の重力の力点の重心が位置することを特徴とする請求項１記載の直動位置調整装置。
【請求項３】
板金ベースとこの上面に面接合状態で配設され上方に位置調整を必要とする物体が載置される板金テーブルとの組み合わせであって、板金テーブルが板金ベースに対して回転可能であり、板金テーブル上の物体の位置を調整可能な構造の回転位置調整装置において、板金ベースと板金テーブルの間に配設された樹脂製のシートと、前記板金テーブルと前記板金ベースにより前記シートを圧接する圧接手段を備えたことを特徴とする回転位置調整装置。
【請求項４】
前記シートはドーナツ状シートで構成され、前記ドーナツ状シートの内周の内方位に前記圧接手段により生起する予圧と板金テーブル上の物体の重力の力点の重心が位置することを特徴とする請求項３記載の回転位置調整装置。
【考案の詳細な説明】
【技術分野】
【０００１】
本考案は分光分析装置に係り、特にレンズ、ミラー等の各種光学素子の位置調整や試料の測定位置の調整装置に関する。
【背景技術】
【０００２】
一般に、原子吸光分光光度計等の分光分析装置には、レンズ、ミラー、フィルタ、グレーティング等の様々な光学素子が多数使用されている。こうした光学素子では光軸の位置調整等のために同一平面内で直動位置調整（直線方向の位置調整）もしくは回転位置調整（回転させて位置調整する）されることがある。例えば原子吸光分光光度計では試料を原子化させた中に光を通過させその吸収の程度を検出し試料中の目的元素の濃度を測定している。この場合原子化部位を光軸に対し最適な位置にするために直動位置調整ならびに回転位置調整が行われる。
【０００３】
従来、同一平面内で直動させて位置調整する直動位置調整装置は、図３に示すとおりベース３１と、テーブル３２と、３個の予圧機構３３とからなる構造を有する。図３では、説明を容易にするためベース３１とテーブル３２は分離された状態で示されている。一端がベース３１に固定される予圧機構３３は、内蔵する予圧バネにより一定の圧力（予圧）をテーブル３２に与えている。ベース３１の摺動面３１ａにテーブル３２の下面が３個の予圧機構３３の予圧により圧接されガイド３１ｂに沿って調整方向（直線方向）に摺動し位置調整が行われる。
【０００４】
また、同一平面内で回転させて位置調整する回転位置調整装置は、図４に示すとおりベース４１と、テーブル４２と、３個の予圧機構３３とからなる構造を有する。図４では、説明を容易にするためベース４１とテーブル４２は分離された状態で示されている。一端がベース４１に固定されている予圧機構３３は、内蔵する予圧バネにより一定の圧力（予圧）をテーブル４２に与えている。ベース４１の摺動面４１ａにテーブル４２の下面が３個の予圧機構３３の予圧により圧接されガイド４１ｂに沿って調整方向（円周方向）に摺動し位置調整が行われる。
【０００５】
従来の直動位置調整装置ならびに回転位置調整装置においては、ベースとテーブルの摺動面は、平坦で加工上のバリがないことが必要である。したがって、摺動部分には加工精度の良い樹脂成型品や機械加工品からなる構造の物が多いが、一般的に機械加工品は加工費が高く、樹脂成型品は型代が高価であり、少量を安価に生産するには不向きである。
【０００６】
位置調整装置に関する先行技術文献情報を調査したが発見されなかった。
【考案の開示】
【考案が解決しようとする課題】
【０００７】
板金加工による直動位置調整装置ならびに回転位置調整装置は、樹脂成型品や機械加工品に比べて、少量を安価に生産するのに適しているが、曲げ加工等の歪により摺動面が平坦でなかったり、打ち抜き加工のバリが残ることがあるため面接触できず片当たりしたり、バリが引っかかったりしてスムーズに摺動しないことがある。
【課題を解決するための手段】
【０００８】
本考案は、板金ベースとこの上面に面接合状態で配設され上方に位置調整を必要とする物体が載置される板金テーブルとの組み合わせであって、板金テーブルが板金ベースに対して直動可能であり、板金テーブル上の物体の位置を調整可能な構造の直動位置調整装置において、板金ベースと板金テーブルの間に配設された樹脂製のシートと、前記板金テーブルと前記板金ベースにより前記シートを圧接する圧接手段を備える。なお、前記シートは長方形シート２枚の並行配置で装着され、前記シート２枚をともに含む最小長方形の内方位に前記圧接手段により生起する予圧と板金テーブル上の物体の重力の力点の重心が位置する。
【０００９】
あるいは、板金ベースとこの上面に面接合状態で配設され上方に位置調整を必要とする物体が載置される板金テーブルとの組み合わせであって、板金テーブルが板金ベースに対して回転可能であり、板金テーブル上の物体の位置を調整可能な構造の回転位置調整装置において、板金ベースと板金テーブルの間に配設された樹脂製のシートと、前記板金テーブルと前記板金ベースにより前記シートを圧接する圧接手段を備える。なお、前記シートはドーナツ状シートで構成され、前記ドーナツ状シートの内周の内方位に前記圧接手段により生起する予圧と板金テーブル上の物体の重力の力点の重心が位置する。したがって、直動位置調整装置あるいは回転位置調整装置は、板金加工からなる構造を有することが可能となる。
【考案の効果】
【００１０】
板金ベースと板金テーブルは、その間に間隙を設けるため、板金にバリや反りがあっても接触しない。したがって、摺動面の加工精度を上げたり、加工後にバリを除去する必要がない。また、樹脂製シートだけに予圧がかかり該シート以外の部分では接触しないため、位置調整に際し滑らかに摺動する。
【考案を実施するための最良の形態】
【００１１】
板金ベースと板金テーブルの間に配設される樹脂製シートは、その材質が摺動抵抗の小さい例えばＰＴＦＥであり、板金ベースに装着される。
【００１２】
樹脂製シートの厚さは、板金の反りとバリよりも大きいものとする。
【実施例１】
【００１３】
本考案の実施例１について図１を参照して説明する。図１は、本考案の実施例１による直動位置調整装置の概略構造を示す図で、説明を容易にするため板金ベース１と板金テーブル２と架台７は分離した状態で示されている。本考案の直動位置調整装置は、図１に示すとおり摺動面５ａを有する２個の樹脂シート５が装着された板金ベース１と、一端が板金ベース１に固定される３個の予圧機構３で生起する予圧により下面が摺動面５ａに圧接される板金テーブル２と、板金テーブル２に設けられた２個のガイド穴２ａのそれぞれに挿入され一端が板金ベース１に固定されている２個のガイドピン４からなる構造を有する。位置調整を必要とする原子吸光分光光度計の原子化部６は架台７を介して板金テーブル２に固定される。
【００１４】
原子化部６は分析試料液を霧化するチャンバと、スリット状の開孔を有し該開孔へ霧化された試料と共に燃料ガスを導き高温の炎を生起させるバーナ等で構成され、高温の炎中で試料が原子化される。この試料が原子化された領域に測定対象元素に吸収される波長の光を通過させ、該光の吸収の程度を検出して前記測定対象元素の濃度を測定する。前記原子化された領域を光に対して最適な位置にするために原子化部６は直動位置調整される。
【００１５】
予圧機構３は、拡大図にて示すとおりスペーサ３ｄを板金ベース１に固定する固定ネジ３ａと、摺動ワッシャ３ｃを介して一定の圧力（予圧）を板金テーブル２に与える予圧バネ３ｂとからなる構造を有する。なお、拡大図はカバーを外した状態を示す。３個の予圧バネ３ｂの予圧により樹脂シート５の摺動面５ａに板金テーブル２の下面が圧接され、板金テーブル２は板金ベース１に保持される。位置調整のため、板金テーブル２に調整方向（直線方向）の力を加えると２個のガイド穴２ａとそれぞれに挿入されているガイドピン４により決まる方向に板金テーブル２は移動し位置調整が行われる。
【００１６】
２個の樹脂シート５は並設され、前記２個の樹脂シート５をともに含む最小長方形の内部が重心許容域ＳＡであり、３個の予圧機構３により生起する予圧と板金テーブル２に搭載される原子化部６等の重力の力点の重心が前記重心許容域ＳＡ内に位置する構造に設定されている。
【００１７】
本考案は以上の構造であるから、板金ベース１と板金テーブル２は、この間に摺動面５ａを有する２個の樹脂シート５が配設され間隙があるため、板金にバリや反りがあっても接触はなく、摺動面５ａの加工精度を上げたり、加工後にバリを除去する必要がない。また、樹脂シート５だけに予圧と原子化部６等の重力がかかり樹脂シート５の摺動面５ａ以外の部分では接触しないため、位置調整に際し滑らかに摺動する。
【００１８】
図示例においては、３個の予圧機構３が配設されているが４個以上であっても同様な機能を有し本考案に含まれる。予圧機構３の構造も図示例以外の構造とすることは可能であり、図示例に限定されない。樹脂シート５は板金ベース１に装着されているが、代わりに板金テーブル２に装着されてもよい。また、ガイドピン４は板金ベース１に固定され、ガイド穴２ａは板金テーブル２に設けられているが、逆にガイドピン４は板金テーブル２に固定され、ガイド穴２ａは板金ベース１に設けられてもよい。また、位置調整を必要とする物体が原子化部６であるが図示例以外の物体でも本考案は適用可能である。このように、本考案は種々の変形例を挙げることができ、本考案はこれら変形例を包含する。
【実施例２】
【００１９】
本考案の実施例２について図２を参照して説明する。図２は、本考案の実施例２による回転位置調整装置の概略構造を示す図で、説明を容易にするため板金ベース２１と板金テーブル２２と架台２７は分離した状態で示されている。本考案の回転位置調整装置は、図２に示すとおり摺動面２５ａを有するドーナツ状の樹脂シート２５が装着された板金ベース２１と、一端が板金ベース２１に固定される３個の予圧機構３で生起する予圧により下面が摺動面２５ａに圧接される板金テーブル２２と、板金テーブル２２の中心を貫通し一端が板金ベース２１に固定されている中心軸２４からなる構造を有する。位置調整を必要とする原子吸光分光光度計の原子化部２６は３個の脚を有する架台２７を介して板金テーブル２２に固定される。
【００２０】
原子化部２６は分析試料液を霧化するチャンバと、スリット状の開孔を有し該開孔へ霧化された試料と共に燃料ガスを導き高温の炎を生起させるバーナ等で構成され、高温の炎中で試料が原子化される。この試料が原子化された細長い領域に測定対象元素に吸収される波長の光を通過させ、該光の吸収の程度を検出して前記測定対象元素の濃度を測定する。前記原子化された細長い領域を光に対して最適な位置にするために原子化部２６は回転位置調整される。
【００２１】
予圧機構３は、拡大図にて示すとおりスペーサ３ｄを板金ベース２１に固定する固定ネジ３ａと、摺動ワッシャ３ｃを介して一定の圧力（予圧）を板金テーブル２２に与える予圧バネ３ｂとからなる構造を有する。なお、拡大図はカバーを外した状態を示す。３個の予圧バネ３ｂの予圧により樹脂シート２５の摺動面２５ａに板金テーブル２２の下面が圧接され、板金テーブル２２は板金ベース２１に保持される。位置調整のため、板金テーブル２２に調整方向（円周方向）の力を加えると板金テーブル２２は中心軸２４を中心に回転し位置調整が行われる。
【００２２】
本考案の実施例２による回転位置調整装置は、３個の予圧機構３により生起する予圧と板金テーブル２２に搭載される原子化部２６等の重力の力点の重心が樹脂シート２５の内周円内に位置する構造に設定されている。
【００２３】
本考案は以上の構造であるから、板金ベース２１と板金テーブル２２は、この間に摺動面２５ａを有するドーナツ状の樹脂シート２５が配設され間隙があるため、板金にバリや反りがあっても接触はなく、摺動面２５ａの加工精度を上げたり、加工後にバリを除去する必要がない。また、樹脂シート２５だけに予圧と原子化部２６等の重力がかかり樹脂シート２５の摺動面２５ａ以外の部分では接触しないため、位置調整に際し滑らかに摺動する。
【００２４】
図示例においては、３個の予圧機構３が配設されているが４個以上であっても同様な機能を有し本考案に含まれる。予圧機構３の構造も図示例以外の構造とすることは可能であり、図示例に限定されない。樹脂シート２５は板金ベース２１に装着されているが、代わりに板金テーブル２２に装着されてもよい。また、中心軸２４は板金ベース２１に固定されているが、代わりに板金テーブル２２に固定されてもよい。また、位置調整を必要とする物体が原子化部２６であるが図示例以外の物体でも本考案は適用可能である。このように、本考案は種々の変形例を挙げることができ、本考案はこれら変形例を包含する。
【産業上の利用可能性】
【００２５】
本考案は分光分析装置に係り、特にレンズ、ミラー等の各種光学素子の位置調整や試料の測定位置の調整装置に関する。
【図面の簡単な説明】
【００２６】
【図１】本考案の実施例１による直動位置調整装置の概略構造を示す図である。
【図２】本考案の実施例２による回転位置調整装置の概略構造を示す図である。
【図３】従来の直動位置調整装置の概略構造を示す図である。
【図４】従来の回転位置調整装置の概略構造を示す図である。
【符号の説明】
【００２７】
１  板金ベース
２  板金テーブル
２ａ  ガイド穴
３  予圧機構
３ａ  固定ネジ
３ｂ  予圧バネ
３ｃ  摺動ワッシャ
３ｄ  スペーサ
４  ガイドピン
５  樹脂シート
５ａ  摺動面
６  原子化部
７  架台
２１  板金ベース
２２  板金テーブル
２４  中心軸
２５  樹脂シート
２５ａ  摺動面
２６  原子化部
２７  架台
３１  ベース
３１ａ  摺動面
３１ｂ  ガイド
３２  テーブル
３３  予圧機構
４１  ベース
４１ａ  摺動面
４１ｂ  ガイド
４２  テーブル
ＳＡ  重心許容域
【図１】
0003142603.tif 000003
【図２】
0003142603.tif 000004
【図３】
0003142603.tif 000005
【図４】
0003142603.tif 000006